(57)【要約】  コンテンツ提示デバイスへのコンテンツアセットの配信に関連付けられたコンテンツ提示情報を管理する方法、システム、及びコンピュータ可読媒体を一般的に説明する。提示情報管理システムは、コンテンツアセットが配信計画に従ってコンテンツ提示デバイスを通じて提示されたか否かを検証するように構成することができる。一部の実施形態において、管理システムは、管理システムによってアクセスされる各コンテンツアセットのためのコンテンツ識別子を発生させ、かつコンテンツアセットがコンテンツ提示デバイスを通して提示された時に提示情報を受信するように構成することができる。コンテンツ識別子は、コンテンツアセットが、コンテンツアセットがコンテンツ提示デバイスで提示された時にコンテンツ提示デバイスでのような管理システム内で認識されることを可能にするように構成することができる。【選択図】図１
2017506389.tif 000002
【特許請求の範囲】
【請求項１】
コンテンツ配信検証システムであって、
プロセッサと、
前記プロセッサと作動可能に通信する非一時的コンピュータ可読ストレージ媒体と、
を含み、
前記コンピュータ可読ストレージ媒体は、実行された時に前記プロセッサをして
配信計画に関連付けられた少なくとも１つのコンテンツアセットにアクセスさせ、
前記少なくとも１つのコンテンツアセットが少なくとも１つのコンテンツ提示デバイス上に提示されていることに応答して、該少なくとも１つのコンテンツアセットを識別するように構成された該少なくとも１つのコンテンツアセットのための少なくとも１つのコンテンツ識別子を発生させ、
前記少なくとも１つのコンテンツ提示デバイスによって提示された前記少なくとも１つのコンテンツアセットが前記少なくとも１つのコンテンツ識別子に基づいて認識されていることに応答して、提示情報を受信させ、かつ
前記少なくとも１つのコンテンツアセットが前記配信計画に従って提示されたか否かを検証するように構成されたコンテンツ提示レポートを前記提示情報に基づいて発生させる、
１又は２以上のプログラミング命令を収容する、
ことを特徴とするシステム。
【請求項２】
前記少なくとも１つのコンテンツアセットは、テレビ広告を含むことを特徴とする請求項１に記載のシステム。
【請求項３】
前記少なくとも１つのコンテンツ提示デバイスは、テレビ及びスマートテレビのうちの少なくとも一方を含むことを特徴とする請求項１に記載のシステム。
【請求項４】
前記少なくとも１つのコンテンツアセットは、自動コンテンツ認識を使用して認識されることを特徴とする請求項１に記載のシステム。
【請求項５】
前記配信計画は、広告キャンペーンを含むことを特徴とする請求項１に記載のシステム。
【請求項６】
前記配信計画は、視聴者ベース広告購入キャンペーンを含むことを特徴とする請求項１に記載のシステム。
【請求項７】
前記提示情報は、提示時間、提示地理、及び提示ネットワークを含むことを特徴とする請求項１に記載のシステム。
【請求項８】
前記提示レポートは、前記少なくとも１つのコンテンツアセットに対する視聴者インプレッションの推定を含むことを特徴とする請求項１に記載のシステム。
【請求項９】
コンテンツの配信を検証するコンピュータ実装方法であって、
プロセッサにより、
配信計画に関連付けられた少なくとも１つのコンテンツアセットにアクセスする段階と、
前記少なくとも１つのコンテンツアセットが少なくとも１つのコンテンツ提示デバイス上に提示されていることに応答して、該少なくとも１つのコンテンツアセットを識別するように構成された該少なくとも１つのコンテンツアセットのための少なくとも１つのコンテンツ識別子を発生させる段階と、
前記少なくとも１つのコンテンツ提示デバイスによって提示された前記少なくとも１つのコンテンツアセットが前記少なくとも１つのコンテンツ識別子に基づいて認識されていることに応答して、提示情報を受信する段階と、
前記少なくとも１つのコンテンツアセットが前記配信計画に従って提示されたか否かを検証するように構成されたコンテンツ提示レポートを前記提示情報に基づいて発生させる段階と、
を含むことを特徴とする方法。
【請求項１０】
前記少なくとも１つのコンテンツアセットは、テレビ広告を含むことを特徴とする請求項９に記載のコンピュータ実装方法。
【請求項１１】
前記少なくとも１つのコンテンツ提示デバイスは、テレビ及びスマートテレビのうちの少なくとも一方を含むことを特徴とする請求項９に記載のコンピュータ実装方法。
【請求項１２】
前記少なくとも１つのコンテンツアセットは、自動コンテンツ認識を使用して認識されることを特徴とする請求項９に記載のコンピュータ実装方法。
【請求項１３】
前記配信計画は、広告キャンペーンを含むことを特徴とする請求項９に記載のコンピュータ実装方法。
【請求項１４】
前記配信計画は、視聴者ベース広告購入キャンペーンを含むことを特徴とする請求項９に記載のコンピュータ実装方法。
【請求項１５】
前記提示情報は、提示時間、提示地理、及び提示ネットワークを含むことを特徴とする請求項９に記載のコンピュータ実装方法。
【請求項１６】
前記提示レポートは、前記少なくとも１つのコンテンツアセットに対する視聴者インプレッションの推定を含むことを特徴とする請求項９に記載のコンピュータ実装方法。
【請求項１７】
コンテンツの配信を検証するように構成されたコンピュータ可読プログラムコードを有するコンピュータ可読ストレージ媒体であって、
前記コンピュータ可読プログラムコードは、
配信計画に関連付けられた少なくとも１つのコンテンツアセットにアクセスするように構成されたコンピュータ可読プログラムコードと、
前記少なくとも１つのコンテンツアセットが少なくとも１つのコンテンツ提示デバイス上に提示されていることに応答して、該少なくとも１つのコンテンツアセットを識別するように構成された該少なくとも１つのコンテンツアセットのための少なくとも１つのコンテンツ識別子を発生させるように構成されたコンピュータ可読プログラムコードと、
前記少なくとも１つのコンテンツ提示デバイスによって提示された前記少なくとも１つのコンテンツアセットが前記少なくとも１つのコンテンツ識別子に基づいて認識されていることに応答して、提示情報を受信するように構成されたコンピュータ可読プログラムコードと、
前記少なくとも１つのコンテンツアセットが前記配信計画に従って提示されたか否かを検証するように構成されたコンテンツ提示レポートを前記提示情報に基づいて発生させるように構成されたコンピュータ可読プログラムコードと、
を含む、
ことを特徴とする媒体。
【請求項１８】
前記少なくとも１つのコンテンツアセットは、テレビ広告を含むことを特徴とする請求項１７に記載のコンピュータ可読ストレージ媒体。
【請求項１９】
前記少なくとも１つのコンテンツアセットは、自動コンテンツ認識を使用して認識されることを特徴とする請求項１７に記載のコンピュータ可読ストレージ媒体。
【請求項２０】
前記配信計画は、視聴者ベース広告購入キャンペーンを含むことを特徴とする請求項１７に記載のコンピュータ可読ストレージ媒体。
【発明の詳細な説明】
【技術分野】
【０００１】
〔関連出願への相互参照〕
本出願は２０１４年２月７日出願の米国仮特許出願第６１／９３６，９４７号の利益を主張するものであり、その開示は、その全体があたかも本明細書に完全に示されるが如く引用によって組み込まれている。
【０００２】
説明する技術は、一般的に、コンテンツの提示に関連付けられた情報を提供することに関し、より具体的には、配信計画に従ってコンテンツの提示を検証することに関する。
【背景技術】
【０００３】
広告主及びオンラインコンテンツ制作者のようなある一定のコンテンツ開発体は、いついかにして彼らのコンテンツがユーザに提示されたかに関する情報を正確かつ適時に受信することができていない。従って、これらのコンテンツ開発体は、彼らのコンテンツがコンテンツ配信者との彼らの契約に従ってユーザに放送されたことを検証することができていない。例えば、テレビ広告主は、放送局及びメディア代理店が特定の時間に広告が流れたことを証明する時に、コンテンツ配信者がインプレッションとして何を集計しているかを決定することができない。これに加えて、広告主は、彼らのテレビ広告が推定で放送された時と、彼らの広告が、必要とされる時間にかつ番組中に流れたことを検証するための放送後分析との間の遅延時間について不満を訴えている。通常、広告を販売する会社又は第三者処理業者によって生成されるこのような放送後分析レポートは、広告主によって受け取られるのに数週間を要する可能性がある。従って、広告キャンペーンが完了した後まで矛盾に対処することができないことが多い。
【０００４】
視聴者ベース広告購入は、コンテンツ開発体に対して新しい機会を提示することができるが、コンテンツインプレッションの正確かつ適時なレポートに伴った問題が増す場合もあるプログラム的購入及び販売の新しいモデルである。現在、ほとんどの非デジタルメディア、特にテレビコンテンツは、コンテンツ及びコンテクストに基づいてパッケージ化、販売、かつ購入されている。ウェブサイト上、刊行物（例えば、雑誌）内、及びテレビ上での購入広告機会のような広告キャンペーンを異なるメディアにわたってスケーリングすることは可能であるが、プログラム的購入及び販売は、スケールを追加し、かつコンテンツ又はコンテクストに関係なく多くの異なるメディアにわたってデータの中核セットによって定められる広告主が「購入」するか又は特定の視聴者をターゲットにすることができる視聴者ベース広告を通して視聴者ターゲット化を改良する可能性がある。
【０００５】
視聴者ベース広告を通して、メディア代理店は、彼らの取引デスク及びデマンドサイドプラットフォーム（ＤＳＰ）を使用して、科学的なリアルタイムプログラム的技術に基づいて「視聴者−購入」に対してメディア目録に対する入札機会を生成することができる。視聴者ベース広告購入の成長は、取りわけ、データ駆動型視聴者ターゲット化ソリューションを使用して、デジタル及びテレビ広告キャンペーンのような複数のメディアカテゴリにわたる広告の調整を改良する機会によって推進されている。
【０００６】
視聴者ベース購入は、関連するテレビ視聴者情報を購入する広告主及び代理店が、彼らのキャンペーンを実行するのに使用される実際の広告目録内への可視性を有していないので、広告検証に関連する新しい懸念を生じている。例えば、個々のテレビ広告配置を購入するかわりに視聴者ベーステレビ購入を使用する時に、広告主及び／又は代理店は、定められたターゲット視聴者に対するある一定の数のインプレッションを購入している。しかし、テレビ視聴者ベース販売を行う会社は、視聴者ベーステレビ購入に関連付けられた特定のテレビ広告ユニット内への可視性を提供しない。従って、視聴者ベース購入は、現在のところ、広告主及び代理店を彼らの広告が配信されたか否か、何時配信されたか、及び何処で配信されたかを独立に検証するいずれの方法も、又はそのような広告の潜在的な視聴者インプレッションを推定するいずれの手段もないままに残している。
【発明の概要】
【発明が解決しようとする課題】
【０００７】
従って、コンテンツ開発体は、彼らのコンテンツの提示及び視聴者インプレッションに関連する情報を正確かつ適時に提供することができるシステムから利益を受けると考えられる。
【課題を解決するための手段】
【０００８】
本発明の開示は、説明する特定のシステム、デバイス、及び方法を変更することができるので、これらに限定されるものではない。説明に使用される用語は、単に特定のバージョン又は実施形態を説明する目的のものであり、本発明の範囲を限定するように意図していない。
【０００９】
この文書に使用される時に、単数形「ａ」、「ａｎ」、及び「ｔｈｅ」は、関連がそれ以外を明確に示さない限り複数の参照を含む。他に定義されない限り、本明細書に使用する全ての技術的及び科学的用語は、当業者によって一般的に理解されるのと同じ意味を有する。本発明の開示のいずれも、本発明の開示で説明する実施形態が従来の発明によるそのような開示に先行する資格を与えられないという承認として解釈すべきではない。この文書に使用される「含む」という用語は、「以下に限定されるものではないが、含む」を意味する。
【００１０】
実施形態において、コンテンツ配信検証システムは、プロセッサと、プロセッサと作動可能に通信する非一時的コンピュータ可読ストレージ媒体とを含むことができる。コンピュータ可読ストレージ媒体は、実行された時にプロセッサをして、配信計画に関連付けられた少なくとも１つのコンテンツアセットにアクセスさせ、少なくとも１つのコンテンツアセットが少なくとも１つのコンテンツ提示デバイス上に提示されていることに応答して少なくとも１つのコンテンツアセットを識別するように構成された少なくとも１つのコンテンツアセットのための少なくとも１つのコンテンツ識別子を発生させ、少なくとも１つのコンテンツ提示デバイスによって提示された少なくとも１つのコンテンツアセットが少なくとも１つのコンテンツ識別子に基づいて認識されていることに応答して提示情報を受信させ、かつ少なくとも１つのコンテンツアセットが配信計画に従って提示されたか否かを検証するように構成されたコンテンツ提示レポートを提示情報に基づいて発生させる１又は２以上のプログラミング命令を収容する。
【００１１】
実施形態において、コンテンツの配信を検証するためのコンピュータ実装方法は、プロセッサにより、配信計画に関連付けられた少なくとも１つのコンテンツアセットにアクセスする段階と、少なくとも１つのコンテンツアセットが少なくとも１つのコンテンツ提示デバイス上に提示されていることに応答して少なくとも１つのコンテンツアセットを識別するように構成された少なくとも１つのコンテンツアセットのための少なくとも１つのコンテンツ識別子を発生させる段階と、少なくとも１つのコンテンツ提示デバイスによって提示された少なくとも１つのコンテンツアセットが少なくとも１つのコンテンツ識別子に基づいて認識されていることに応答して提示情報を受信する段階と、少なくとも１つのコンテンツアセットが配信計画に従って提示されたか否かを検証するように構成されたコンテンツ提示レポートを提示情報に基づいて発生させる段階とを含むことができる。
【００１２】
実施形態において、コンピュータ可読ストレージ媒体は、コンテンツの配信を検証するように構成されたコンピュータ可読プログラムコードを有することができる。コンピュータ可読プログラムコードは、配信計画に関連付けられた少なくとも１つのコンテンツアセットにアクセスし、少なくとも１つのコンテンツアセットが少なくとも１つのコンテンツ提示デバイス上に提示されていることに応答して少なくとも１つのコンテンツアセットを識別するように構成された少なくとも１つのコンテンツアセットのための少なくとも１つのコンテンツ識別子を発生させ、少なくとも１つのコンテンツ提示デバイスによって提示された少なくとも１つのコンテンツアセットが少なくとも１つのコンテンツ識別子に基づいて認識されていることに応答して提示情報を受信するように構成されたコンピュータ可読プログラムコードと、少なくとも１つのコンテンツアセットが配信計画に従って提示されたか否かを検証するように構成されたコンテンツ提示レポートを提示情報に基づいて発生させるように構成されたコンピュータ可読プログラムコードとを含むことができる。
【００１３】
本発明の上述の及び他の目的は、添付の図面に関して行われる以下の詳細説明からより容易に明らかになるであろう。
【図面の簡単な説明】
【００１４】
【図１】一部の実施形態による例示的コンテンツ提示情報管理システムを示す図である。
【図２】一部の実施形態による例示的コンテンツ提示情報管理システムを示す図である。
【図３】一部の実施形態によるコンテンツ提示情報を管理する例示的方法に関する流れ図を示す図である。
【図４】本明細書に説明する様々な方法及び処理を実施するためのコンピュータデバイスの様々な実施形態を示す図である。
【発明を実施するための形態】
【００１５】
説明する技術は、一般的に、コンテンツ提示デバイスへのコンテンツアセットの配信に関連付けられたコンテンツ提示情報を管理するためのシステム、方法、及びコンピュータ可読媒体に関する。一部の実施形態において、提示情報管理システム（「システム」又は「管理システム」）は、配信計画に従ってコンテンツアセットがコンテンツ提示デバイスを通して提示されたか否か（例えば、「インプレッション」）を検証するように構成することができる。一部の実施形態において、管理システムは、管理システムによってアクセスされる各コンテンツアセットのためのコンテンツ識別子を発生させて、コンテンツアセットがコンテンツ提示デバイスを通して提示された時に提示情報を受信するように構成することができる。コンテンツ識別子は、コンテンツアセットが、コンテンツ提示デバイスを通して提示された時に（例えば、視聴、ダウンロード、アクセス、再生、記録、又はストリーミングなど）、コンテンツアセットが、管理システム内で、例えば、コンテンツ提示デバイスにおいて認識されることを可能にするように構成することができる。一部の実施形態において、本発明のシステムは、コンテンツアセットを認識するための自動コンテンツ認識（ＡＣＲ）システムを含むか又は他にそれを使用することができる。コンテンツ識別子は、指紋、透かし、英数字コード、又は文字列のようなコンテンツの一意的な識別子、又は他の識別デバイスを提供するように構成することができる。一部の実施形態において、コンテンツ識別子は、ビデオ及び／又はオーディオコンテンツに基づいて一意的な指紋又は英数字コードを発生させることのようなコンテンツを使用して発生させることができる。一部の実施形態において、コンテンツ識別子は、コンテンツに割り当てられた一意的な英数字識別子を含むことができる。
【００１６】
コンテンツアセット（又はコンテンツ）は、一般的に、メディアを通して表現することができるデータ、情報、又はメディアなどのいずれかのタイプを含むことができる。例示的メディアは、テレビ、ラジオ、放送、ケーブルテレビ、及び衛星放送テレビ、及び／又はこれらのネットワーク（例えば、インターネット）形態のようなオーディオ及び視覚的メディアを含むことができる。コンテンツの例は、限定するものではないが、ビデオ、オーディオ、映画、ビデオゲーム、テレビ及びラジオ番組、コマーシャル、ウェブサイト、画像、写真、テキスト、電子又はデジタル文書、触覚又は触感感覚、情報源、ストリーミングメディア、ソーシャルメディア、ソーシャルネットワーク、及び／又はその組合せを含むことができる。一部の実施形態において、コンテンツは、限定するものではないが、ウェブサイト広告、インターネット広告、サーチエンジンマーケティング（ＳＥＭ）、ソーシャルメディアマーケティング、及びモバイル機器広告を含むテレビ広告又はオンライン広告のような広告を含むことができる。
【００１７】
コンテンツ提示デバイスは、一般的に、閲覧者又は他のタイプのコンテンツ消費者にコンテンツを提示することができる現在当業技術で公知の又は将来開発されるいずれかのデバイスである。コンテンツ提示デバイスの非限定的な例は、テレビ、スマートテレビ、ラップトップコンピュータ、携帯情報端末（ＰＤＡ）、タブレットコンピュータデバイス、スマートフォン、パーソナルコンピュータ（ＰＣ）、ディスプレイモニタ又は端末、ラジオ、オーディオデバイス、スピーカ、ヘッドフォン、触覚デバイス、電子読取デバイス（「ｅ−リーダー」）、発光ダイオード（ＬＥＤ）デバイス、有機ＬＥＤ（ＯＬＥＤ）デバイス、ウェアラブルスクリーン、セットトップボックス、衛星受信機、ビデオオンデマンド（ＶＯＤ）受信機、コンテンツ受信機（例えば、米国カリフォルニア州クパチーノのＡｐｐｌｅ・インコーポレーテッド製のＡｐｐｌｅ  ＴＶ（登録商標）、米国カリフォルニア州サラトガのＲｏｋｕ、インコーポレーテッド製のＲｏｋｕ（登録商標））、デジタルビデオレコーダ（ＤＶＲ）、パーソナルビデオレコーダ（ＰＶＲ）、ハードドライブ、フラッシュドライブ、ストレージサーバ、デジタルビデオディスク（ＤＶＤ）デバイス、又はＢｌｕ−ｒａｙ（ＴＭ）デバイスなどのを含む。
【００１８】
提示情報は、一般的に、コンテンツ提示デバイスでのコンテンツの提示に関連する情報を含むことができる。提示情報の非限定的な例は、時間、日付、地理情報、コンテンツ識別子、コンテンツ、コンテンツ提示デバイス情報（例えば、デバイス識別子、ハードウエア情報、デバイスタイプ、所有者又は加入者情報、ネットワーク情報、又は例えば実際のユーザインプレッションの可能性を示すデバイス活動など）、ネットワーク情報（例えば、伝送ネットワーク、加入者ネットワーク、放送ネットワーク又はチャネル）、又は再生情報（例えば、早送り、録画、又はコンテンツアセット全体が閲覧されたか否かなど）などを含むことができる。
【００１９】
配信計画は、広告コンテンツのための広告キャンペーンのようなコンテンツ配信を指定するように構成されたいずれかのタイプのスケジュール及び／又は計画を含むことができる。一部の実施形態において、配信計画は、視聴者ベース広告購入キャンペーンを含むことができる。一部の実施形態において、管理システムは、配信計画に従ってコンテンツアセットが視聴者に配信、閲覧、アクセス、又は他に提示されたか否かを検証するように構成することができる。
【００２０】
図１は、一部の実施形態による例示的管理システムを示している。図１に示されている管理システム１００は、サービスプロバイダ１１５によって配信されるコンテンツを開発するように構成されたコンテンツ開発体１２５ａからｎを含むことができる。コンテンツ開発体１２５ａからｎは、広告主、広告代理店、テレビスタジオ又は放送ネットワーク、ラジオチャネル、ウェブサイトプロバイダ、ＶＯＤサービス、コンテンツデータストア、又は配信サービスなどのような当業技術で公知のいずれかのタイプのコンテンツ開発体を含むことができる。サービスプロバイダ１１５は、ケーブルテレビ又は衛星ネットワーク、又はインターネットのような通信ネットワークのようなネットワーク１１０を通してコンテンツプロバイダ１２５ａからｎからのコンテンツにアクセス可能である。サービスプロバイダ１１５は、コンテンツ提示デバイス１０５ａからｎにコンテンツを提供することができるいずれかのタイプのエンティティ又は構造体を含むことができる。例えば、サービスプロバイダ１１５は、テレビ放送ネットワーク、ケーブルテレビネットワーク、衛星テレビネットワーク、インターネットサービスプロバイダ（ＩＳＰ）、コンピュータデバイス広告ネットワーク、メディア配信ネットワーク、クラウドコンピュータネットワーク、ローカルエリアネットワーク（ＬＡＮ）、ワイドエリアネットワーク（ＷＡＮ）、地上波ネットワーク、モバイルネットワーク、及び／又はその組合せを含むことができる。
【００２１】
コンテンツ提示デバイス１０５ａからｎは、閲覧者又は他のコンテンツ消費者へのコンテンツを受信すること及び／又はそれを提示することができるいずれかのタイプのデバイスを含むことができる。コンテンツ提示デバイスの非限定的な例は、テレビ、スマートテレビ（又は他のインターネット又はネットワーク対応テレビ）、ラップトップコンピュータ、ＰＤＡ、タブレットコンピュータデバイス、スマートフォン、ＰＣ、ディスプレイモニタ又は端末、ラジオ、オーディオデバイス、スピーカ、ヘッドフォン、触覚デバイス、電子読取デバイス、ＬＥＤデバイス、ＯＬＥＤデバイス、ウェアラブルスクリーン、セットトップボックス、衛星受信機、ＶＯＤ受信機、及びコンテンツ受信機を含む。
【００２２】
一部の実施形態において、サービスプロバイダ１１５は、コンテンツプロバイダ１２５ａからｎからコンテンツ提示デバイス１０５ａからｎに直接コンテンツを送信するためのネットワークを含むことができる。例えば、サービスプロバイダ１１５は、コンテンツ提示デバイス１０５ａからｎに直接にコンテンツを提供するためのテレビ制作スタジオのためのネットワーク及び関連技術を含むことができる。別の例では、サービスプロバイダ１１５は、ユーザが様々なコンテンツプロバイダ１２５ａからｎからのコンテンツにアクセスすることを可能にするコンテンツアクセスアプリケーション、並びに関連ハードウエア及びソフトウエアを含むことができる。例示的コンテンツアクセスアプリケーションは、Ｎｅｔｆｉｘ（登録商標）及びＨｕｌｕ（登録商標）を含む。一部の実施形態において、コンテンツプロバイダ１２５ａからｎは、例えば、ネットワーク１１０を通してコンテンツ提示デバイス１０５ａからｎと直接に通信することができる。
【００２３】
コンテンツ提示システム１００は、１又は２以上のデータストア１２０を含むこと及び／又はこれらへのアクセスを有することができる。データストア１２０は、コンテンツ、及び／又はコンテンツ提示デバイス１０５ａからｎ、サービスプロバイダ１１５、及び／又はコンテンツプロバイダ１２５ａからｎが、コンテンツを発生、送信、及び／又は提示するのに使用することができる情報を格納するように構成することができる。一部の実施形態において、データストア１２０は、少なくとも部分的に第三者機関からのデータを含むことができる。例えば、データストア１２０は、コンテンツアセット、配信計画、コンテンツ識別子（例えば、コンテンツ指紋ライブラリ）、視聴者ターゲット化情報（例えば、人口動態情報、閲覧者プリファレンス情報、コンテンツアクセス履歴情報）、サービスプロバイダ１１５及び／又はネットワーク１１０を通してコンテンツを受信するコンテンツ提示デバイス１０５ａからｎの数及びタイプ、コンテンツ提示デバイス１０５ａからｎのオペレーティングシステム、ソフトウエア、ファームウエア、及び／又はハードウエア、又は閲覧者又は他のコンテンツ消費者及び／又は消費者デバイスのプロファイルなどに関連付けられた情報を含むことができる。
【００２４】
図１に示すように、管理システム１００は、１又は２以上のサーバ論理デバイス１３０を含むことができ、これらのサーバ論理デバイス１３０は、一般的に、プロセッサと、１又は２以上のアプリケーションに関するプログラムミング命令、データ、又は情報を収容するための非一時的メモリ又は他のストレージデバイスと、例えば、図４に示されており、この図を参照して以下に説明する中央演算処理装置（ＣＰＵ）４０５、読取専用メモリ（ＲＯＭ）４１０、ランダムアクセスメモリ（ＲＡＭ）４１５、通信ポート４４０、コントローラ４２０、及び／又はメモリデバイス４２５を含む他のハードウエアとを含むことができる。
【００２５】
一部の実施形態において、プログラムミング命令は、取りわけ、コンテンツ開発体１２５ａからｎからのコンテンツアセットを受信し、又は他にそれにアクセスし、コンテンツ識別子を発生させ、コンテンツアセットが何時コンテンツ提示デバイス１０５ａからｎに提示されるかを検出し、又は他にそれを認識し、コンテンツアセットがコンテンツ提示デバイスを通して提示される時にメッセージを発生させ、コンテンツアセットが提示デバイスを通して提示されていることに応答して提示情報を発生させ、提示情報に基づいてコンテンツ提示レポートを発生させ、提示情報に基づいて配信計画に従ってコンテンツアセットを配信したか否かを検証し、及び／又はこれらのいずれかの組合せを行うように構成された提示情報管理アプリケーション（「管理アプリケーション」）を含むことができる。一部の実施形態において、管理アプリケーションは、コンテンツアセットが何時コンテンツ提示デバイス１０５ａからｎに提示されたかを検出し、又は他にそれを認識するためのＡＣＲアプリケーション、ハードウエア、又はシステム（「ＡＣＲシステム」）を含み、又は他にそれらにアクセス可能である。
【００２６】
サーバ論理デバイス１３０は、コンテンツ提示デバイス１０５ａからｎ、サービスプロバイダ１１５、及び／又はコンテンツプロバイダ１２５ａからｎと作動可能に通信することができる。一部の実施形態において、管理アプリケーションは、インターネットを通じたクライアントアプリケーション、ウェブベースアプリケーション、及び／又はモバイルアプリケーション（例えば、「モバイルアプリ」又は「アプリ」）のような様々なプラットフォームを通してアクセス可能とすることができる。一部の実施形態により、管理アプリケーション及び／又は管理アプリケーションのクライアントバージョンは、各提示デバイス１０５ａからｎ上で作動し、及び／又は他にこれらにアクセス可能であるように、及び／又はインターネットのようなネットワーク上で提示デバイスにアクセス可能なサーバコンピュータデバイス上で作動するように構成することができる。コンテンツ識別子及び／又は提示情報のアクセス及び／又は処理に使用されるファイル、データ、及び／又は処理（例えば、医学的調査情報、又は分析処理など）の全て又は一部は、各提示デバイス１０５ａからｎ上にローカルに格納すること、サーバ論理デバイス１３０のような集中位置に格納すること、及び／又はネットワーク上でアクセス可能にすることができる。
【００２７】
一部の実施形態において、管理アプリケーション及び／又はＡＣＲシステムは、コンテンツ開発体１２５ａからｎ、コンテンツ配信者１１５、又はこれらの何らかの組合せによって作動させることができる。一部の実施形態において、管理アプリケーション及び／又はＡＣＲシステムは、コンテンツ開発体１２５ａからｎ及び／又はコンテンツ配信者１１５と通信する独立システム又はエンティティによって作動させることができる。
【００２８】
一部の実施形態において、管理アプリケーションは、提示情報をコンテンツ配信キャンペーン、広告キャンペーン、プログラミングスケジュール、視聴者ターゲットキャンペーン（視聴者ベース広告キャンペーンなど）と比較するように構成することができる。例えば、管理アプリケーションは、提示情報に基づいて指示された実際のインプレッションを配信計画に必要な又は他にそれによって定められたターゲットインプレッションと比較するように構成することができる。提示情報は、取りわけ、１又は２以上のコンテンツアセットを観たか、これらをダウンロードしたか、これらを閲覧したか、これらを再生したか、これらをストリーミングしたか、又は他にこれらにアクセスした特定のユーザ及び／又は閲覧者のユーザ人口動態に関する情報を含むことができる。従って、管理アプリケーションは、どのようにして実際のコンテンツ閲覧者を配信計画で指定されたターゲット閲覧者と比較するかを決定することができる。このような配信計画の検証は、百分率、ヒット／ミス、又は全体的インプレッションなどのような様々な技術を使用して報告することができる。
【００２９】
図２は、一部の実施形態による例示的管理システムを示している。図２に示されているコンテンツ開発体２０５は、テレビ広告のようなコンテンツアセット２１０を開発することができる。広告２１０は、広告のためのコンテンツ識別子２２０を発生させることができる管理システム２１５に提供することができる。コンテンツ識別子２２０は、ＭＰＥＧ−２及び／又はＭＰＥＧ−４コンテンツのためなどの当業技術で公知の方法を使用して広告２１０に埋め込むか又は他にそれに関連付けることができる。一部の実施形態において、コンテンツ識別子２２０は、データストア（データベース又はコンテンツ識別子ライブラリ）に格納することができ、広告に埋め込まないか又は他に広告と共に送信することができる。このような実施形態において、広告２１０は、デバイスに提示された時に分析することができ、データストアは、この広告に適合するコンテンツ識別子がこのデータストアに格納されているか否かを決定するために検索することができる。
【００３０】
一部の実施形態において、広告２１０は、テレビのようなコンテンツ提示デバイス２２５に放送、送信、ストリーミング、又は他に配信することができる。広告２１０は、管理システム２１５を通して、又はこの管理システムと作動可能に連結されたコンテンツ配信者（図示せず）を通して直接に配信することができる。テレビ２２５は、テレビスクリーンのようなディスプレイ要素２３０上に広告２１０を提示することができる。
【００３１】
管理アプリケーション２４０は、直接に又はテレビ２２５にコンテンツを供給する１又は２以上のネットワーク上でテレビ２２５に提示されるコンテンツに対して作動するか、又は他にそれにアクセス可能である。管理アプリケーション２４０は、テレビを通して提示されるコンテンツに関連付けられたコンテンツ識別子に対してこのコンテンツをモニタ、分析、放映、又は他に処理するように構成されたコンテンツ認識モジュール２３５を含むか又は他にそれにアクセス可能である。一部の実施形態において、コンテンツ認識モジュール２３５は、システム（ＡＣＲシステム）を含むか又は他にそれにアクセス可能である。
【００３２】
一部の実施形態において、管理アプリケーション２４０は、コンテンツ識別子を検出することにより、コンテンツ識別子２１０を有する広告２１０が何時テレビ２２５上で再生されたかを決定することができる。一部の実施形態において、管理アプリケーション２４０は、適合するコンテンツ識別子に対してコンテンツ識別子ライブラリを検索することにより、コンテンツ識別子２１０に関連付けられた広告２１０が何時テレビ２２５上で再生されたかを決定することができる。
【００３３】
図２は、テレビ２２５上で作動する管理アプリケーション２４０を示しているが、実施形態は、このように限定されるものではなく、それは、管理アプリケーションが、テレビ２２５上に提示されるか又はテレビ２２５に送信されるコンテンツをモニタ又は検出することができるあらゆるデバイス上で作動させることができるためである。一部の実施形態において、管理アプリケーション２４０は、コンテンツ識別子を有するコンテンツがテレビ２２５のようなコンテンツ提示デバイスに送信された時にこのコンテンツを検出することができる。
【００３４】
管理アプリケーション２４０がコンテンツ認識モジュール２３５を通してコンテンツ識別子を検出した時に、管理アプリケーションは、テレビ２２５上の広告２１０の提示に関連付けられた提示情報２４５にアクセスすること、及び／又はそれを発生させることができる。提示情報メッセージ２５０は、コンテンツ配信者２１５に送信することができる。一部の実施形態において、管理アプリケーション２４０及び／又はコンテンツ配信者２１５は、提示情報２４５を使用して、配信計画に従ってコンテンツが配信及び／又は提示されたか否か（例えば、閲覧者インプレッション）を含むコンテンツ２１０の提示に関連する情報を閲覧するのにコンテンツ開発体２０５によって使用することができる提示レポート２５５を発生させることができる。
【００３５】
図３は、本明細書に説明する少なくとも一部の実施形態によって配置された１又は２以上のサーバ論理デバイスを通じてなどで管理システムによって実行することができる一部の実施形態によるコンテンツ提示情報を管理する例示的方法に関する流れ図である。例示的方法は、ブロック３０５、３１０、３１５、３２０、３２５、３３０、３３５、及び／又は３４０のうちの１又は２以上によって示された１又は２以上の作動、機能、又はアクションを含むことができる。ブロック３０５から３４０に説明される作動はまた、図４に示されているメモリ要素４１０、４１５、及び４２５のようなコンピュータ可読媒体内にコンピュータ実行可能命令として格納することができる。別々のブロックとして示されているが、望ましい実施に応じて、様々なブロックを追加のブロックに分割するか、より少ないブロックに組み合わせるか、又は削除することができる。ブロック３０５から３４０に説明される作動は、コンテンツ開発体、コンテンツ配信者、コンテンツプロバイダ、コンテンツ提示デバイス、ネットワークシステム、放送ネットワーク、又はこれらのいずれかの組合せによって実行することができる。
【００３６】
図３に示すように、管理システムは、コンテンツ開発体からのコンテンツにアクセス可能である（３０５）。例えば、広告主又は代理店は、一意的な各広告が、視聴者ベース広告購入を含む広告キャンペーンのような配信計画と連動して使用されるように、広告又はサンプルを提供することができる。管理システムは、コンテンツ識別子を発生させて、このコンテンツ識別子をコンテンツ及び／又は関連するコンテンツアセット内に埋め込むことができる（３１０）。例えば、一意的なテレビ広告は、ＡＣＲシステム、又はネットワーク、地理的、及び／又は特定のデバイスレベル（例えば、インターネット接続スマートテレビ）で配備された他のコンテンツ認識システムと共に使用することができる一意的なオーディオ及び／又はビデオ指紋及び／又は透かしを発生させるように処理することができる。コンテンツアセットは、コンテンツ提示デバイス及び／又はコンテンツ提示デバイスにコンテンツを提供するネットワークに送信することができる（３１５）。
【００３７】
コンテンツ識別子に基づいて、コンテンツを検出することができる（３２０）。一部の実施形態において、少なくとも部分的にＡＣＲを使用して、特定の視聴者ベーステレビ購入のような配信計画に関連付けられたコンテンツアセットが何時提示（又は「放送」）されたかを検出することができる。コンテンツアセットの提示又は放送の検出（３２０）はまた、関連するいずれかの配信ネットワークの識別情報、提示時間、地理情報、デバイス情報、及び提示に関連付けられた他のいずれかの情報のような提示情報を受信すること（３２５）を可能にする。一部の実施形態において、コンテンツ認識（例えば、ＡＣＲ）が、コンテンツ提示デバイスのレベルで（例えば、ＡＣＲ対応スマートテレビを用いて）行われた時のように、デバイスの十分なサンプルにわたる検出は、コンテンツアセットが提示された特定の地理情報、時間、及び他の提示情報、並びにこれらに加えて、コンテンツアセットに関連する視聴者インプレッションレベルを正確に推定することを可能にすることができる。提示情報は、広告主又は代理店のようなコンテンツ開発体に提供することができる（３３０）。このようにして、コンテンツ開発体は、リアルタイム又は実質的にリアルタイムで彼らのコンテンツ提示に関する正確な情報へのアクセスを有することができる。
【００３８】
一部の実施形態において、任意的に、提示情報に基づいてコンテンツ提示レポート３３５を発生させることができる。例えば、提示情報は、分析するか又は他に分析処理を受けさせて、コンテンツ提示（例えば、テレビ広告の放送）の検出（３２０）に対するコンテキストを提供することができる。別の例では、配信計画を集計して提示情報を分析し、検出３２０が視聴者ベース広告購入のような配信計画の一部分であったか否かを確認することができる。更に別の例では、提示検出３２０から得られた提示情報を使用した視聴者ベース広告購入に関するレポートは、検出された広告挿入の配置（例えば、提示ネットワーク、提示時間、及び提示地理）、視聴者インプレッションの推定、並びに広告及び／又はキャンペーンを受ける視聴者範囲及び配信頻度の推定を含むことができる。これに加えて、このような測定結果と他の第三者機関データベースとを組み合わせることにより、各広告挿入の推定費用又は特定の視聴者タイプ（例えば、子供がいる富裕な家庭）に対するインプレッション推定などのような追加情報を得るか、又はそれを提示することができる。これらの測定結果及びレポートは、キャンペーン期間中又はその後に提供することができる。コンテンツ提示レポートは、コンテンツ開発体に提供することができる（３４０）。
【００３９】
視聴者ベーステレビ購入の実施形態において、視聴者ベーステレビ購入の一部分ではないキャンペーンにも同じテレビ広告を使用することができる場合に、広告主及び／又は代理店に、このキャンペーンに関連付けられた特定の広告挿入ログを提供させることにより、同じテレビ広告を使用した他のキャンペーンに関連付けられた検出を区別することができる。これらの広告挿入に関連付けられた広告挿入をＡＣＲ対応広告検出と適合させることにより、システムが、分析及び関連するレポートが視聴者ベーステレビ購入に関連付けられた広告挿入に限定して着目することを確実にすることを可能にする。
【００４０】
本明細書で説明する実施形態は、特定の放送及び送信機構を詳述しているが、当業者は、メディアコンテンツ送信のあらゆる手段が完全に本発明の範囲にあることを認識するであろう。これに加えて、本明細書で説明する実施形態は、ディスプレイデバイス自体又はセットトップボックスの使用を詳述しているが、当業者は、本発明は、ディスプレイデバイスの内部、外部、又はこれらの両方に存在することができる様々なハードウエア及びソフトウエアを使用して実施することができることを認識しなければならない。
【００４１】
図４は、上述の様々なコンピュータ処理及びシステムを収容又は実施するのに使用することができる例示的内部ハードウエアのブロック図である。バス４００は、ハードウエアの他の例示する構成要素を相互接続する主情報ハイウエイとして機能する。ＣＰＵ４０５は、プログラムを実行するのに必要な計算及び論理演算を実行するシステムの中央演算処理装置である。ＣＰＵ４０５は、例示的処理デバイス、コンピュータデバイス、又はプロセッサであり、このような用語が本発明の開示に用いられている。読取専用メモリ（ＲＯＭ）４３０及びランダムアクセスメモリ（ＲＡＭ）４３５は、例示的メモリデバイスを構成する。
【００４２】
コントローラ４２０は、システムバス４００経由で１又は２以上の任意的なメモリデバイス４２５と接続する。これらのメモリデバイス４２５は、例えば、外部又は内部ＤＶＤドライブ、ＣＤ  ＲＯＭドライブ、ハードドライブ、フラッシュメモリ、又はＵＳＢドライブなどを含むことができる。上述のように、これらの様々なドライブ及びコントローラは、任意的なデバイスである。更に、メモリデバイス４２５は、いずれかのソフトウエアモジュール又は命令、補助データを格納するための個別ファイル、結果の群又は補助データを格納するための共通ファイル、又は結果情報、補助データ、及び上述の関連情報を格納するための１又は２以上のデータベースを含むように構成することができる。
【００４３】
上述の提示設定の決定、構成、送信、又は復号などに関連付けられた機能段階のいずれかを実行するためのプログラム命令、ソフトウエア、又は対話型モジュールは、ＲＯＭ４３０及び／又はＲＡＭ４３５内に格納することができる。任意的に、プログラム命令は、コンパクトディスク、デジタルディスク、フラッシュメモリ、メモリカード、ＵＳＢドライブ、Ｂｌｕ−ｒａｙ（ＴＭ）ディスクのような光ディスクストレージ媒体、及び／又は他の記録媒体のような有形コンピュータ可読媒体上に格納することができる。
【００４４】
任意的なディスプレイインタフェース４３０は、バス４００からの情報をオーディオ、視覚的、グラフィック、又は英数形式でディスプレイ４３５上に表示することを可能にすることができる。外部デバイスとの通信は、様々な通信ポート４４０を使用して行うことができる。例示的通信ポート４４０は、インターネット又はローカルエリアネットワークのような通信ネットワークに接続することができる。
【００４５】
ハードウエアはまた、キーボード４５０のような入力デバイス、又はマウス、ジョイスティック、タッチスクリーン、リモコン、ポインティングデバイス、ビデオ入力デバイス、及び／又はオーディオ入力デバイスのような他の入力デバイス４５５からのデータを受信することを可能にするインタフェース４４５を含むことができる。
【００４６】
上記で開示した特徴及び機能、並びに他の特徴及び機能、又はこれらの代替例のいくつかを多くの他の異なるシステム又はアプリケーションに望ましく組み合わせることができることは認められるであろう。同じく現在予想されないか又は予期されない様々な代替、変更、変形、又は改良を当業者によって今後行うことができ、このような代替、変形、及び改良は特許請求の範囲によって包含されることも認められるであろう。
【符号の説明】
【００４７】
１００  管理システム
１０５ａ  コンテンツ提示デバイス
１１０  ネットワーク
１１５  サービスプロバイダ
１２５ａ  コンテンツ開発体
【図１】
2017506389.tif 000003
【図２】
2017506389.tif 000004
【図３】
2017506389.tif 000005
【図４】
2017506389.tif 000006
【国際調査報告】
2017506389.tif 000007